【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
第１の方向に所定のピッチを有して、複数のＸ線焦点が２次元状に配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、
前記マルチＸ線発生手段と前記スリット手段とを、相対的な位置関係を保ちながら前記第１の方向へ移動する移動手段と、
前記移動手段により前記マルチＸ線発生手段と前記スリット手段とを前記所定のピッチだけ移動する間の複数位置においてＸ線撮影を行う実行手段と、
前記実行手段によるＸ線撮影によって得られたＸ線強度に基づいてＸ線画像を再構成する再構成手段と、を備えることを特徴とするＸ線撮影装置。
【請求項２】
前記再構成手段は、
前記複数のスリット部材の複数のスリットのうちの、対向するＸ線焦点との相対的な位置関係が同じであるスリットにより整形されたＸ線ビームにより得られたＸ線画像データをパラレルデータとし、パラレルデータ毎にひとまとまりのＸ線画像データとなるように並べ替える並べ替え手段を有し、
前記並べ替え手段で並べ替えられたＸ線画像データに基づいて３次元画像を再構成することを特徴とする請求項１に記載のＸ線撮影装置。
【請求項３】
１つのＸ線焦点から発生し、対向するスリット部材によって整形されたＸ線ビームを前記２次元検出手段が検出することで得られたＸ線画像データから、散乱線による影響を除去する補正手段を更に備え、
前記再構成手段は、前記補正手段により補正された後のＸ線画像データを用いることを特徴とする請求項１または２に記載のＸ線撮影装置。
【請求項４】
第１の方向に所定のピッチを有して、複数のＸ線焦点が２次元状に配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、
前記マルチＸ線発生手段と前記スリット手段とを、相対的な位置関係を変化させながら前記第１の方向へ移動する移動手段と、
前記移動手段により前記マルチＸ線発生手段と前記スリット手段とを前記所定のピッチだけ移動する間の複数位置においてＸ線撮影を行う実行手段と、
前記実行手段によるＸ線撮影によって得られたＸ線強度に基づいてＸ線画像を再構成する再構成手段と、を備えることを特徴とするＸ線撮影装置。
【請求項５】
複数のＸ線焦点が第１の方向に所定のピッチを有するように配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、
前記マルチＸ線発生手段と前記スリット手段とを、相対的な位置関係を保ちながら前記第１の方向へ移動する移動手段と、
前記移動手段により前記マルチＸ線発生手段と前記スリット手段とを前記所定のピッチだけ移動する間の複数位置においてＸ線撮影を行う実行手段と、
前記実行手段によるＸ線撮影によって得られたＸ線強度に基づいてＸ線画像を再構成する再構成手段と、を備えることを特徴とするＸ線撮影装置。
【請求項６】
複数のＸ線焦点が第１の方向に所定のピッチを有するように配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、
前記マルチＸ線発生手段と前記スリット手段とを、相対的な位置関係を変化させながら前記第１の方向へ移動する移動手段と、
前記移動手段により前記マルチＸ線発生手段と前記スリット手段とを前記所定のピッチだけ移動する間の複数位置においてＸ線撮影を行う実行手段と、
前記実行手段によるＸ線撮影によって得られたＸ線強度に基づいてＸ線画像を再構成する再構成手段と、を備えることを特徴とするＸ線撮影装置。
【請求項７】
第１の方向に所定のピッチを有して、複数のＸ線焦点が２次元状に配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、を備えたＸ線撮影装置の制御方法であって、
移動手段が、前記マルチＸ線発生手段と前記スリット手段とを、相対的な位置関係を保ちながら前記第１の方向へ移動する移動工程と、
実行手段が、前記移動工程により前記マルチＸ線発生手段と前記スリット手段とを前記所定のピッチだけ移動する間の複数位置においてＸ線撮影を行う実行工程と、
再構成手段が、前記実行工程によるＸ線撮影によって得られたＸ線強度に基づいてＸ線画像を再構成する再構成工程と、を有することを特徴とするＸ線撮影装置の制御方法。
【請求項８】
第１の方向に所定のピッチを有して、複数のＸ線焦点が２次元状に配置されたマルチＸ線発生手段と、
前記複数のＸ線焦点の各々に対向設置された複数のスリット部材を有するスリット手段と、前記複数のスリット部材の各々は前記第１の方向に並ぶ複数のスリットを有し、前記複数のスリットの各々は、対向するＸ線焦点からのＸ線を前記第１の方向とは異なる第２の方向を長手方向とするスライス状のＸ線ビームに整形し、
前記スリット手段で整形されたＸ線ビームの、検出面におけるＸ線強度を検出する２次元検出手段と、を備えたＸ線撮影装置の制御方法であって、
移動手段が、前記マルチＸ線発生手段と前記スリット手段とを、相対的な位置関係を変化させながら前記第１の方向へ移動する移動工程と、
実行手段が、前記移動工程により前記マルチＸ線発生手段と前記スリット手段とを前記所定のピッチだけ移動する間の複数位置においてＸ線撮影を行う実行工程と、
再構成手段が、前記実行工程によるＸ線撮影によって得られたＸ線強度に基づいてＸ線画像を再構成する再構成工程と、を有することを特徴とするＸ線撮影装置の制御方法。
【請求項９】
請求項７または８に記載の制御方法の各工程をコンピュータに実行させるためのプログラム。
【請求項１０】
請求項９に記載のプログラムを格納したコンピュータ読み取り可能な記憶媒体。